(57)【要約】  空気調和システム（１００）は、複数の空気調和機（１０）と、空気調和機（１０）と公衆回線（９０）を介して接続され、空気調和機（１０）からのデータを空気調和機（１０）毎に記憶するサーバー記憶部を備えたサーバー機器（６０）と、サーバー記憶部に記憶されたデータを空気調和機（１０）毎に抽出することができる管理者調査ツールと、複数の空気調和機（１０）のいずれか１つと１対１の通信が可能な複数の携帯端末（４０）と、を備え、携帯端末（４０）は、通信が可能な空気調和機（１０）がサーバー機器（６０）に送信するデータの内容を設定することができる空調管理アプリケーションを搭載している。
2018216115.tif 000002
【特許請求の範囲】
【請求項１】
複数の空気調和機と、
前記空気調和機と公衆回線を介して接続され、前記空気調和機からのデータを前記空気調和機毎に記憶するサーバー記憶部を備えたサーバー機器と、
前記サーバー記憶部に記憶されたデータを前記空気調和機毎に抽出することができる管理者調査ツールと、
複数の前記空気調和機のいずれか１つと１対１の通信が可能な複数の携帯端末と、
を備え、
前記携帯端末は、通信が可能な前記空気調和機が前記サーバー機器に送信する前記データの内容を設定することができる空調管理アプリケーションを搭載している
ことを特徴とする空気調和システム。
【請求項２】
前記空調管理アプリケーションは、前記空気調和機が前記サーバー機器に前記データを送信するタイミングを設定することができる
ことを特徴とする請求項１に記載の空気調和システム。
【請求項３】
前記データは、前記空気調和機の故障時の解析内容を示す故障解析データを含む
ことを特徴とする請求項１または２に記載の空気調和システム。
【請求項４】
前記データは、前記空気調和機の使用実績に関する使用実績データを含む
ことを特徴とする請求項１から３のいずれか１つに記載の空気調和システム。
【請求項５】
前記管理者調査ツールは、前記サーバー機器に接続されたコンピュータに搭載されている
ことを特徴とする請求項１から４のいずれか１つに記載の空気調和システム。
【請求項６】
前記管理者調査ツールは、前記サーバー機器に搭載されている
ことを特徴とする請求項１から４のいずれか１つに記載の空気調和システム。
【発明の詳細な説明】
【技術分野】
【０００１】
本発明は、空気調和機を含んだ空気調和システムに関する。
【背景技術】
【０００２】
近年では特許文献１に記載されているようにスマートフォンの普及に伴い、空気調和機をスマートフォンで遠隔操作および監視する技術が普及してきた。また、特許文献１においては、空気調和機の情報を定期的にサーバー機器に送信することが記載されている。
【先行技術文献】
【特許文献】
【０００３】
【特許文献１】特開２０１５−１０５７９５号公報
【発明の概要】
【発明が解決しようとする課題】
【０００４】
しかしながら、特許文献１に記載の技術においては、サーバー機器の傍にいるサービスマンが効率的にサーバー機器に蓄積されるデータの内容を変更することは不可能であり、不具合が生じた場合および市場調査を実施する際には空気調和機の設置現場に赴いて情報を収集する必要があった。【０００５】
本発明は、上記に鑑みてなされたものであって、空気調和機のデータを遠隔から効率的に収集することが可能となる空気調和システムを得ることを目的とする。
【課題を解決するための手段】
【０００６】
上述した課題を解決し、目的を達成するために、本発明は、複数の空気調和機と、空気調和機と公衆回線を介して接続され、空気調和機からのデータを空気調和機毎に記憶するサーバー記憶部を備えたサーバー機器と、サーバー記憶部に記憶されたデータを空気調和機毎に抽出することができる管理者調査ツールと、複数の空気調和機のいずれか１つと１対１の通信が可能な複数の携帯端末と、を備える。携帯端末は、通信が可能な空気調和機がサーバー機器に送信するデータの内容を設定することができる空調管理アプリケーションを搭載していることを特徴とする。
【発明の効果】
【０００７】
本発明にかかる空気調和システムは、空気調和機のデータを遠隔から効率的に収集することが可能になるという効果を奏する。
【図面の簡単な説明】
【０００８】
【図１】本発明の実施の形態１にかかる空気調和システムの全体構成を示す図
【図２】実施の形態１にかかる空気調和機の室内機の構成を示す図
【図３】実施の形態１にかかる室内機の制御部をコンピュータで実現する場合の構成を示す図
【図４】実施の形態１にかかるサーバー機器の記憶部にデータが蓄積される様子を示す図
【図５】実施の形態１にかかる携帯端末に搭載されている空調管理アプリケーションのイメージを示す図
【図６】実施の形態１にかかるコンピュータに搭載される管理者調査ツールのイメージを示す図
【発明を実施するための形態】
【０００９】
以下に、本発明の実施の形態にかかる空気調和システムを図面に基づいて詳細に説明する。なお、この実施の形態によりこの発明が限定されるものではない。
【００１０】
実施の形態１．
図１は、本発明の実施の形態１にかかる空気調和システム１００の全体構成を示す図である。以下では、ａまたはｂを付した符号は、複数の同一の構成要素を識別する場合に使用し、それらを総称する場合はａまたはｂを付さないで用いる。空気調和システム１００は、サーバー機器６０と、コンピュータ７０と、ルーター３０（３０ａ，３０ｂ）と、アダプター２０（２０ａ，２０ｂ）と、ユーザーが所有する空気調和機１０（１０ａ，１０ｂ）および携帯端末４０（４０ａ，４０ｂ）と、を備える。各空気調和機１０は、複数の家庭５０（５０ａ，５０ｂ）の各部屋に設置される室内機１１（１１ａ，１１ｂ）と、各家庭５０の外に設置される室外機１２（１２ａ，１２ｂ）とから構成されている。なお、各空気調和機１０（１０ａ，１０ｂ）は、各アダプター２０（２０ａ，２０ｂ）と１対１に接続される。各家庭５０は、室内機１１に加えて、ルーター３０を含み、さらにユーザーが所有する携帯端末４０を含んでいる。各携帯端末４０はルーター３０（３０ａ，３０ｂ）およびアダプター２０（２０ａ，２０ｂ）を介して、空気調和機１０（１０ａ，１０ｂ）と通信接続が可能である。具体的には、家庭５０ａには携帯端末４０ａおよび空気調和機１０ａが備えられており、家庭５０ｂには携帯端末４０ｂおよび空気調和機１０ｂが備えられている。そして、少なくとも、携帯端末４０ａと空気調和機１０ａとが通信可能であり、携帯端末４０ｂと空気調和機１０ｂとが通信可能である。すなわち、複数の携帯端末４０のそれぞれは、複数の空気調和機１０のいずれか１つと１対１の通信が可能である。ただし、各携帯端末４０は各家庭５０の外に持ち出し可能である。設計者またはサービスマンが利用する事務所８０には、サーバー機器６０および後述する管理者調査ツール７１を搭載するコンピュータ７０が備えられている。コンピュータ７０の具体例はパーソナルコンピュータである。各家庭５０内には、ＬＡＮ（Local  Area  Network）９１（９１ａ，９１ｂ）による通信ネットワークが構築されている。各家庭５０と事務所８０とは公衆回線９０を介してネットワークを構築する。なお、上記では、空気調和機１０および携帯端末４０がそれぞれ２つであるとして説明しているが、それぞれ３つ以上であってもかまわない。
【００１１】
図２は、実施の形態１にかかる空気調和機１０の室内機１１の構成を示す図である。室内機１１は、センサー部１３と、制御部１４とを備える。センサー部１３にはリモートコントローラ受信部１３１が搭載されており、図示していないリモートコントローラによって運転開始および停止、冷房および暖房、設定温度等の複数の機能が設定できるようになっている。センサー部１３は、温度センサー、湿度センサー、モーターの回転数検出センサーおよび人感センサーをさらに備える。モーターの回転数検出センサーの検出結果などに基づいて、現在の風向および風速を取得することができる。また、温度センサー、湿度センサーおよび人感センサーによって、各家庭５０の室内温度、室内湿度および人の存在の有無を検知することができるようになっている。制御部１４は、アクチュエータ制御部１５と、室内機記憶部である記憶部１６とを備える。
【００１２】
図３は、実施の形態１にかかる室内機１１の制御部１４をコンピュータで実現する場合の構成を示す図である。制御部１４の具体例は、マイクロコンピュータである。この場合、制御部１４は、室内機１１に設けられたＣＰＵ（Central  Processing  Unit）２０１およびメモリ２０２により実現される。したがって、記憶部１６はメモリ２０２により実現される。制御部１４の機能は、ソフトウェア、ファームウェア、またはソフトウェアとファームウェアとの組み合わせにより実現される。ソフトウェアまたはファームウェアはプログラムとして記述され、メモリ２０２に格納される。ＣＰＵ２０１は、メモリ２０２に記憶されたプログラムを読み出して実行することにより、制御部１４の機能を実現する。すなわち、室内機１１は、制御部１４の機能がコンピュータにより実行されるときに、制御部１４による動作を実施するステップが結果的に実行されることになるプログラムを格納するためのメモリ２０２を備える。また、これらのプログラムは、制御部１４の手順または方法をコンピュータに実行させるものであるともいえる。
【００１３】
ここで、メモリ２０２とは、ＲＡＭ（Random  Access  Memory）、ＲＯＭ（Read  Only  Memory）、フラッシュメモリー、ＥＰＲＯＭ（Erasable  Programmable  Read  Only  Memory）、ＥＥＰＲＯＭ（Electrically  Erasable  Programmable  Read  Only  Memory）といった不揮発性または揮発性の半導体メモリが該当する。
【００１４】
アクチュエータ制御部１５は、空気調和機１０のモーターといったアクチュエータを制御するのに加えて、空気調和機１０の表示ＬＥＤ（Light  Emitting  Diode）も制御する。アクチュエータ制御部１５は、外部と通信する通信部１５１を備える。記憶部１６は、温度データ、湿度データ、人が不在であるか在室であるかについてのデータ、風速データ、スペックといった機種固有の情報、空気調和機１０の故障時の解析内容を示す故障解析データ、積算消費電力または運転時間といった空気調和機１０の使用実績に関する使用実績データなどを記憶する。制御部１４は、リモートコントローラ受信部１３１が受信したリモートコントローラによる設定内容をアクチュエータ制御部１５に反映する。制御部１４は、センサー部１３が備える上記センサーから現在の制御状態を取得し、アクチュエータ制御部１５は、当該制御状態に基づいて上記設定内容を実現するようにアクチュエータを制御する。
【００１５】
記憶部１６は、制御部１４が取得したデータおよび利用するデータを記憶することができる。記憶部１６は、運転制御のための上記設定内容といった運転情報データに加えて、故障解析データおよび使用実績データといった情報を記憶する。制御部１４は上記の情報を各データに固有のタイミングで記憶部１６に記憶させる。また、各空気調和機１０はそれぞれ各家庭５０に存在していることから、各空気調和機１０に対応する個別の識別子である個別ＩＤを工場からの出荷時に記憶部１６に予め記憶させておくことで区別できるようにしている。
【００１６】
事務所８０に在室する設計者またはサービスマンは、各家庭５０の空気調和機１０の故障解析データおよび使用実績データを遠隔的に得て分析をするために、ユーザーに指示して必要なデータを携帯端末４０が要求するようにする。具体的には、設計者またはサービスマンが携帯端末４０を所有しているユーザーに電話などにより指示を出して、ユーザーに携帯端末４０を操作させて携帯端末４０に要求を出させる。また、携帯端末４０のネットワークへの接続時の初期動作として自動的に携帯端末４０に要求を出させてもよい。なお、設計者またはサービスマンが携帯端末４０を直接操作することも可能である。空気調和機１０の制御部１４は、携帯端末４０から要求されたデータを記憶部１６から読み出して、要求されたデータをアクチュエータ制御部１５の通信部１５１からアダプター２０およびルーター３０を介してサーバー機器６０に送信する。
【００１７】
以下では、空気調和システム１００の各構成要素の詳細について説明する。
【００１８】
ルーター３０は、公衆回線９０によるネットワーク上のネットワーク機器と接続するインターフェースと、家庭５０内の回線であるＬＡＮ９１上のネットワーク機器と接続するインターフェースとを有している。ルーター３０は、同一または異なるネットワーク上の機器を相互に通信させる役割を有しており、ルーター３０を介することで家庭５０のＬＡＮ９１上のアダプター２０と携帯端末４０との相互の通信接続が可能となり、また異なるネットワーク上の携帯端末４０とサーバー機器６０との通信接続が可能になる。
【００１９】
サーバー機器６０は、空調管理サービスを行うために公衆回線９０によるネットワーク上に設けられた、サーバーソフトウェアを稼動させるコンピュータである。サーバー機器６０はサーバー記憶部である記憶部６１を備えている。図４は、実施の形態１にかかるサーバー機器６０の記憶部６１にデータが蓄積される様子を示す図である。記憶部６１は、各家庭５０の空気調和機１０の室内機１１から送信されてくるデータを図４に示すようにデータベースとして蓄積していく。蓄積されたデータは、個別ＩＤ毎に管理されており、上記データベースには、受信日時ごとに運転情報データ、故障解析データおよび使用実績データといったデータが記録されている。
【００２０】
図５は、実施の形態１にかかる携帯端末４０に搭載されている空調管理アプリケーション４１のイメージを示す図である。携帯端末４０が家庭５０内のＬＡＮ９１に接続可能であって、空気調和機１０に操作設定を行う場合は、携帯端末４０の空調管理アプリケーション４１はＬＡＮ９１のみを介して空気調和機１０に操作設定データを送信して空気調和機１０の制御に反映させる。携帯端末４０がＬＡＮ９１に接続可能であって、空気調和機１０に状態要求する場合は、空調管理アプリケーション４１はＬＡＮ９１のみを介して空気調和機１０に状態要求を送信して、空気調和機１０から携帯端末４０に運転情報といった状態情報を返信させる。
【００２１】
また、携帯端末４０が家庭５０の外にあるといったＬＡＮ９１に通信接続できないような場合は、携帯端末４０の空調管理アプリケーション４１は、公衆回線９０を介して空気調和機１０に対する遠隔的な操作設定または状態要求をサーバー機器６０に送信する。操作設定の場合、サーバー機器６０は、携帯端末４０から送信される個別ＩＤおよび操作設定データに従って、公衆回線９０、ルーター３０およびアダプター２０を介して空気調和機１０に操作設定データを送信し、操作設定データを受信した空気調和機１０はこれに従って制御を行う。サーバー機器６０が状態要求を受信した場合は、サーバー機器６０は記憶部６１の最新データを状態情報として公衆回線９０を介して携帯端末４０に送信する。
【００２２】
サーバー機器６０は、事務所８０に在室する設計者またはサービスマンが利用するコンピュータ７０と接続している。図６は、実施の形態１にかかるコンピュータ７０に搭載される管理者調査ツール７１のイメージを示す図である。管理者調査ツール７１は、設計者またはサービスマンのコンピュータ７０に対する操作に応じて、サーバー機器６０の記憶部６１に蓄積されているデータを当該データの日時と共に空気調和機１０毎に抽出して設計者またはサービスマンに示して確認させることができる。なお、管理者調査ツール７１はサーバー機器６０に搭載されていてもかまわない。
【００２３】
アダプター２０は、空気調和機１０の室内機１１をＬＡＮ９１とルーター３０を介して公衆回線９０に接続するためのネットワークアダプターであって、図１では室内機１１に外付けられているように示されているが、室内機１１に内蔵されていてもよい。
【００２４】
アダプター２０は、ルーター３０に接続するための図示していない無線通信部を有しており、室内機１１とは有線で接続されている。なお、アダプター２０は、室内機１１から電源供給されているため、室内機１１の元電源がオン状態でない限りオン状態にはならない。
【００２５】
アダプター２０は、図示していない記憶部をさらに備え、空気調和機１０から送信されてくるデータを記憶部を経由させ、さらにルーター３０および公衆回線９０を介してサーバー機器６０に定期的にデータを送信する。また、携帯端末４０からＬＡＮ９１のみを介して空気調和機１０に対する状態要求があったときに、アダプター２０は、ルーター３０およびＬＡＮ９１を介して携帯端末４０にアダプター２０の記憶部に記憶されている空気調和機１０から送信された情報を送信する。
【００２６】
また、アダプター２０の記憶部には、サーバー機器６０のサーバーアドレスが予め記憶されているので、アダプター２０はサーバー機器６０に接続できるようになっている。アダプター２０の記憶部は空気調和機１０から送信される個別ＩＤを記憶しているので、空気調和機１０から送信されたデータをサーバー機器６０に送信するときに個別ＩＤと共に送信するため、サーバー機器６０は記憶部６１において空気調和機１０から送信されたデータを個別ＩＤ毎に一括管理することができる。
【００２７】
携帯端末４０の具体例は、パーソナルコンピュータ、スマートフォン、タブレット等であり限定されないが、図３と同様な構成にディスプレイといった表示部が追加されたハードウェア構成である。以下では、携帯端末４０はスマートフォンを想定して説明する。携帯端末４０はユーザーが所有しているが、上述したように設計者またはサービスマンが使用することもあり得る。
【００２８】
携帯端末４０には、空気調和機１０を管理することができる空調管理アプリケーション４１が搭載されており、図５に示すように、空調管理アプリケーション４１は空調管理モード４２およびユーザー調査モード４３の２つのモードを有している。携帯端末４０は、空調管理アプリケーション４１を利用してルーター３０または公衆回線９０を介してサーバー機器６０または空気調和機１０と接続している。空調管理アプリケーション４１は、室内機１１の元電源がオン状態になった時に通信を開始する。空調管理アプリケーション４１は、空気調和機１０と初めて通信接続するときにＬＡＮ９１を介して通信立ち上げシーケンスを開始する。空気調和機１０は、機種別情報データおよび運転情報データを携帯端末４０に送信する。空調管理アプリケーション４１は、通信要求および空気調和機１０がサーバー機器６０に送信するデータ内容の初期設定を空気調和機１０に送信する。上記通信立ち上げシーケンスが完了した後は、携帯端末４０、空気調和機１０の室内機１１およびサーバー機器６０は定常通信を開始する。室内機１１は、携帯端末４０およびサーバー機器６０と通信接続されている状態で、記憶部１６に記憶されている情報をアダプター２０およびルーター３０を介して携帯端末４０およびサーバー機器６０に定期的に送信する。ユーザーは、携帯端末４０のディスプレイ上に通信接続された空気調和機１０の個別ＩＤおよび状態を表示することで空気調和機１０の状態を遠隔的にモニターすることができる。
【００２９】
空調管理アプリケーション４１は、先に説明したように操作設定を行い、状態要求を送信して状態情報をモニターするための空調管理モード４２を有している。空気調和機１０の運転の操作および運転のモニターを行うための空調管理モード４２は、空気調和機１０の運転開始または運転停止、運転モード、設定温度等を設定し、公衆回線９０またはＬＡＮ９１を介して空気調和機１０に操作設定データを送信する。操作設定データを受信した空気調和機１０の制御部１４は受信した操作設定データを空気調和機１０の制御に反映させる。また、空調管理モード４２は、空気調和機１０の電源の状態、運転モード、風速、風向、直接操作または遠隔操作のいずれであるかといった状態を携帯端末４０のディスプレイ上に表示するので、ユーザーは空気調和機１０の状態を遠隔的にモニターすることができる。
【００３０】
空調管理アプリケーション４１は、空調管理モード４２とは別にユーザー調査モード４３を有している。ユーザー調査モード４３を利用することによって、空気調和機１０がサーバー機器６０に送信するデータの内容および空気調和機１０がサーバー機器６０にデータを送信するタイミングを設定することができる。設計者またはサービスマンは、各家庭５０に設置された空気調和機１０の使用実績または故障内容を詳細に解析するために、ユーザーに指示を出す。ユーザー調査モード４３は、設計者またはサービスマンからの指示に従ってユーザーが携帯端末４０を操作するためのモードである。ユーザーは、ユーザー調査モード４３における携帯端末４０のディスプレイ上の表示を利用して、各種設定内容の操作および設定対象となる空気調和機１０の個別ＩＤを確認することができる。各種設定内容には、空気調和機１０からサーバー機器６０へのデータの送信タイミングといった送信頻度、空気調和機１０の運転モードおよび風速といった運転情報、空気調和機１０の積算電力および駆動時間といった使用実績データ、空気調和機１０の故障内容および故障回数といった故障解析データが含まれる。したがって、ユーザー調査モード４３は、サーバー機器６０へのデータの送信タイミング、およびサーバー機器６０へのデータに使用実績データまたは故障解析データを含めるか否かといったデータの内容を設定することができる。
【００３１】
具体的には、室内機１１側で故障が生じた際に、ユーザーはサービスマンに連絡を入れる。事務所８０内に在室しているサービスマンは、コンピュータ７０に搭載されている管理者調査ツール７１を用いて、サーバー機器６０にアクセスすることが可能である。サービスマンは、ユーザーから故障内容を聴き取る。サービスマンは、さらに、空調管理アプリケーション４１のユーザー調査モード４３においてユーザーが所有している携帯端末４０のディスプレイ上に表示される個別ＩＤを聴き取る。サービスマンは、サーバー機器６０にアクセスして、ユーザーが所有している空気調和機１０から記憶部６１上に図４に示したように蓄積されていたデータを、管理者調査ツール７１および聴き取った個別ＩＤを用いて図６に示すように抽出することができる。そして、サービスマンは、聴き取った故障内容および管理者調査ツール７１が抽出したデータから故障原因を推測することができる。故障原因を推測するためには、記憶部６１に予め蓄積されていたデータでは不足していると考えられる場合は、サービスマンは、ユーザーにユーザー調査モード４３における操作を指示する。ユーザーはサービスマンからの指示に従って、ユーザー調査モード４３において、空気調和機１０がサーバー機器６０に送信するデータの内容の変更、さらには空気調和機１０からサーバー機器６０にデータを送信する送信タイミングの変更を設定する。空気調和機１０の制御部１４はユーザー調査モード４３によって変更された設定にしたがって、記憶部１６から送信用データを作成してアダプター２０を介してサーバー機器６０の記憶部６１上に、故障前の過去の時点から再度蓄積させることができる。
【００３２】
また、実施の形態１にかかる空気調和システム１００によれば、空気調和機１０の設置環境に基づいた市場調査時に、設計者は家庭５０に赴く必要がなく、事務所８０内のサーバー機器６０にコンピュータ７０からアクセスすることができる。そして、設計者は、管理者調査ツール７１を用いることにより、各家庭５０から送信されて記憶部６１に蓄積されているデータを、図６に示すように遠隔的に抽出して整理することができる。そのため、設計者は調査内容からユーザーの生活シーンを推測することができ、市場の要求にあった開発に取り組むことができる。
【００３３】
市場調査対象となる使用実績データに対して見直しが生じた際には、空調管理アプリケーション４１の初期設定を変更し、ユーザーに携帯端末４０に搭載される空調管理アプリケーション４１の更新をしてもらう。更新後の空調管理アプリケーション４１が空気調和機１０と最初に通信するときに、変更された初期設定を空調管理アプリケーション４１が室内機１１に送信することで、調査対象となる空気調和機１０がサーバー機器６０に送信するデータの内容を変更することができる。これにより、空気調和機１０の機種によらずに、統一した内容の情報をサーバー機器６０から抽出することが可能となる。
【００３４】
以上説明したように、実施の形態１にかかる空気調和システム１００によれば、サーバー機器６０上に空気調和機１０のデータが蓄積されていくため、設計者およびサービスマンは直接空気調和機１０の設置場所を訪れる手間を省いて故障解析データおよび使用実績データといった空気調和機１０毎のデータを遠隔から効率的かつタイムリーに取得することができる。
【００３５】
また、サーバー機器６０上に空気調和機１０毎のデータを蓄積していくことにより、空気調和機１０の記憶部１６が読み取れない状態になったとしても空気調和機１０のデータを抽出することができ、最新データと過去データとを比較することで故障の原因調査時に故障タイミングまたは変化点の発見を容易に行うことができる。
【００３６】
さらに、実施の形態１にかかる空気調和システム１００によれば、空気調和機１０からサーバー機器６０にデータを送信する送信タイミングを携帯端末４０から設定できるようにすることで、詳細に故障原因を調査することが可能となる。また、設定した送信タイミングで過去からのデータを抽出できるようになり、調査対象とするデータのバリエーションを広げることができる。
【００３７】
また、実施の形態１にかかる空気調和システム１００によれば、空気調和機１０からサーバー機器６０上に送信するデータ内容を変更することで、市場における使用実績調査または故障調査の際に必要となるデータを適切に選択することができる。その結果、調査の柔軟性および早期に原因究明が可能になるといった調査の効率化が図れる。
【００３８】
さらに、空調管理アプリケーション４１を携帯端末４０に搭載することで、先に説明したような専用のリモートコントローラを不要とすることもできる。また、空調管理アプリケーション４１を更新する際に、空気調和機１０が送信する使用実績データを見直して、空調管理アプリケーション４１の初期設定を変更することで、全家庭５０（５０ａ，５０ｂ）の全空気調和機１０（１０ａ，１０ｂ）が送信する使用実績データを統一して変更することが可能とさせるため、各空気調和機１０から得らえる情報の差異を無くすことができる。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１０，１０ａ，１０ｂ  空気調和機、１１，１１ａ，１１ｂ  室内機、１２，１２ａ，１２ｂ  室外機、１３  センサー部、１４  制御部、１５  アクチュエータ部、１６，６１  記憶部、２０，２０ａ，２０ｂ  アダプター、３０，３０ａ，３０ｂ  ルーター、４０，４０ａ，４０ｂ  携帯端末、４１  空調管理アプリケーション、４２  空調管理モード、４３  ユーザー調査モード、５０，５０ａ，５０ｂ  家庭、６０  サーバー機器、７０  コンピュータ、７１  管理者調査ツール、８０  事務所、９０  公衆回線、９１，９１ａ，９１ｂ  ＬＡＮ、１００  空気調和システム、１３１  リモートコントローラ受信部、１５１  通信部、２０１  ＣＰＵ、２０２  メモリ。
【図１】
2018216115.tif 000003
【図２】
2018216115.tif 000004
【図３】
2018216115.tif 000005
【図４】
2018216115.tif 000006
【図５】
2018216115.tif 000007
【図６】
2018216115.tif 000008
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
複数の空気調和機と、
前記空気調和機と公衆回線を介して接続され、前記空気調和機からのデータを前記空気調和機毎に記憶するサーバー記憶部を備えたサーバー機器と、
前記サーバー記憶部に記憶されたデータを前記空気調和機毎に抽出することができる管理者調査ツールと、
複数の前記空気調和機のいずれか１つと１対１の通信が可能で、通信が可能な前記空気調和機が前記サーバー機器に送信する前記データの内容を設定することができる空調管理アプリケーションを搭載している携帯端末と、
を備え、
通信が可能な前記空気調和機の制御部は、前記設定が変更されると、変更された前記設定にしたがって、変更以前の前記データを前記サーバー記憶部に記憶させる
ことを特徴とする空気調和システム。
【請求項２】
前記空調管理アプリケーションは、前記空気調和機が前記サーバー機器に前記データを送信するタイミングを設定することができる
ことを特徴とする請求項１に記載の空気調和システム。
【請求項３】
前記データは、前記空気調和機の故障時の解析内容を示す故障解析データを含む
ことを特徴とする請求項１または２に記載の空気調和システム。
【請求項４】
前記データは、前記空気調和機の使用実績に関する使用実績データを含む
ことを特徴とする請求項１から３のいずれか１つに記載の空気調和システム。
【請求項５】
前記管理者調査ツールは、前記サーバー機器に接続されたコンピュータに搭載されている
ことを特徴とする請求項１から４のいずれか１つに記載の空気調和システム。
【請求項６】
前記管理者調査ツールは、前記サーバー機器に搭載されている
ことを特徴とする請求項１から４のいずれか１つに記載の空気調和システム。
【国際調査報告】
2018216115.tif 000009
2018216115.tif 000010
2018216115.tif 000011
2018216115.tif 000012